(57)【特許請求の範囲】
【請求項１】
クレーン等の吊り上げ装置に吊られる箇所となる吊り上げ部と、段積みされたデッキプレートの束を一括して保持する保持手段と、保持したデッキプレートの束からその最下位にある一枚のデッキプレートのみを選択し、これを脱落させる選択脱落手段とを備えてなり、
前記保持手段は、デッキプレートの底面の幅より広い間隔で対向して設けられた下部フレームのそれぞれに、内側に向けて進退可能に設けられて前進した際、デッキプレートの底面の側部を支持する下部爪によってなり、
前記選択脱落手段は、前記下部爪と、デッキプレート一枚分の厚さとほぼ同じ長さ分前記下部爪のそれぞれより高い位置に、内側に向けて進退可能に設けられて前進した際、デッキプレートの底面の側部を支持する上部爪と、これら下部爪および上部爪の進退を制御する制御部とからなり、
対向して配設された前記下部爪および前記上部爪のそれぞれの側に、デッキプレートの幅より僅かに広い間隔で対向した状態にガイドフレームが設けられていることを特徴とするデッキプレート敷設用吊り具。
【請求項２】
請求項１記載のデッキプレート敷設用吊り具を用いてデッキプレートを敷設する方法であって、
まず、下部爪および上部爪を制御部により後退させておき、その状態で段積みされたデッキプレートの束の最下位のデッキプレートの底面より下の両側に下部爪を位置させ、その状態で制御部により下部爪を前進させ、
続いて、吊り上げ部をクレーン等の吊り上げ装置で吊ることによってデッキプレートの束を下部爪によって一括して保持し、その状態で所望する位置にまで移送し、
その後、制御部により上部爪を前進させて最下位のデッキプレートのすぐ上に位置するデッキプレ−トの底部の側部を支持させ、続いて制御部により下部爪を後退させて最下位にある一枚のデッキプレートのみを選択してこれを脱落させ、敷設することを特徴とするデッキプレートの敷設方法。
【請求項３】
吊り上げ装置が、荷の水平移動ができる簡易天井クレーンに備えられた電動チェーンブロックであることを特徴とする請求項２記載のデッキプレートの敷設方法。
【発明の詳細な説明】
【０００１】
【発明の属する技術分野】
本発明は、デッキプレートの敷設を容易にするデッキプレート敷設用吊り具と、このデッキプレート敷設用吊り具を用いてなるデッキプレートの敷設方法に関する。
【０００２】
【従来の技術】
波形をした薄鋼板からなるデッキプレート（床鋼板）は、サポートが不要なことなどから、特に高層建築物の床に多く用いられている。このようなデッキプレートの敷設作業は、通常２〜３人が１組となり、その人力によって行っているのが現状である。
【０００３】
すなわち、この作業では、まず、クレーン等によりデッキプレートを１０枚前後重ねた状態で、敷設位置近傍に仮置きしておき、その後、作業者によってこれを１枚ずつ敷設する。敷設の作業は、複数（通常は２人）の作業者がそれぞれデッキプレートの両端部を持ち上げ、下層のデッキプレート上、および鉄骨梁上をなかば滑らせながら所定の位置にまで移送し、そこに置くといった方法で行われる。
このとき、少なくともデッキ両端部には作業者のための作業用足場が必要であり、そのため、通常は鉄骨上に足場板を仮設している。
【０００４】
【発明が解決しようとする課題】
ところで、このようなデッキプレートの敷設は、作業者の熟練度によっても差があるものの、作業自体は比較的短時間で行われる。しかしながら、この作業は、狭い仮設足場や鉄骨上で５０〜８０ｋｇ程度のデッキプレートを運ぶものであるため、作業者に不安定で無理な姿勢を強いることとなり、安全衛生面からもその改善が望まれている。
【０００５】
また、足場材の設置盛替えを含め、仮設安全養生作業に多くの労務が必要となっているといった問題や、さらにこれらの安全養生作業自体が高所作業になっているといった問題もある。
【０００６】
また、作業者の労働負荷低減の観点からは、吸着吊り具をクレーンフックに装着させたものや、専用のハンドリングロボットを用いるものなどが提供され一部に使用されている。しかしながら、いずれのものも、段積みされたデッキプレート束の最上位の一枚をハンドリングする形態をとり、デッキプレートの把持または吸着、位置決めと解放、移動の工程を繰り返すもので、作業効率が人力による作業に比べ著しく劣っており、したがって工期短縮の観点からは大きな不満があった。
【０００７】
本発明は、前記事情に鑑みてなされたもので、その目的とするところは、デッキプレートの敷設を容易にしてその労働負荷を低減し、しかも作業効率を高めることのできるデッキプレート敷設用吊り具と、このデッキプレート敷設用吊り具を用いてなるデッキプレートの敷設方法を提供することにある。
【０００８】
【課題を解決するための手段】
本発明のデッキプレート敷設用吊り具では、クレーン等の吊り上げ装置に吊られる箇所となる吊り上げ部と、段積みされたデッキプレートの束を一括して保持する保持手段と、保持したデッキプレートの束からその最下位にある一枚のデッキプレートのみを選択し、これを脱落させる選択脱落手段とを備えてなり、
前記保持手段は、デッキプレートの底面の幅より広い間隔で対向して設けられた下部フレームのそれぞれに、内側に向けて進退可能に設けられて前進した際、デッキプレートの底面の側部を支持する下部爪によってなり、
前記選択脱落手段は、前記下部爪と、デッキプレート一枚分の厚さとほぼ同じ長さ分前記下部爪のそれぞれより高い位置に、内側に向けて進退可能に設けられて前進した際、デッキプレートの底面の側部を支持する上部爪と、これら下部爪および上部爪の進退を制御する制御部とからなり、
対向して配設された前記下部爪および前記上部爪のそれぞれの側に、デッキプレートの幅より僅かに広い間隔で対向した状態にガイドフレームが設けられていることを前記課題の解決手段とした。
【０００９】
このデッキプレート敷設用吊り具によれば、段積みされたデッキプレートの束を一括して保持手段で保持し、吊り上げ部を利用して吊り上げ装置でこれを所望位置に移送した後、選択脱落手段によって保持したデッキプレートの束からその最下位にある一枚のデッキプレートのみを選択、脱落させることができる。したがって、従来人力で行ってきたデッキプレートの敷設を機械で行うことが可能になり、しかもデッキプレートを複数枚一括して移送することができることから、移送に要する時間を短縮して作業効率の向上が図れる。
【００１０】
本発明のデッキプレートの敷設方法では、クレーン等の吊り上げ装置に吊られる箇所となる吊り上げ部と、段積みされたデッキプレートの束を一括して保持する保持手段と、保持したデッキプレートの束からその最下位にある一枚のデッキプレートのみを選択し、これを脱落させる選択脱落手段とを備え、前記保持手段は、デッキプレートの底面の幅より広い間隔で対向して設けられた下部フレームのそれぞれに、内側に向けて進退可能に設けられて前進した際、デッキプレートの底面の側部を支持する下部爪によってなり、前記選択脱落手段は、前記下部爪と、デッキプレート一枚分の厚さとほぼ同じ長さ分前記下部爪のそれぞれより高い位置に、内側に向けて進退可能に設けられて前進した際、デッキプレートの底面の側部を支持する上部爪と、これら下部爪および上部爪の進退を制御する制御部とからなる、デッキプレート敷設用吊り具を用い、
まず、下部爪および上部爪を制御部により後退させておき、その状態で段積みされたデッキプレートの束の最下位のデッキプレートの底面より下の両側に下部爪を位置させ、その状態で制御部により下部爪を前進させ、
続いて、吊り上げ部をクレーン等の吊り上げ装置で吊ることによってデッキプレートの束を下部爪によって一括して保持し、その状態で所望する位置にまで移送し、
その後、制御部により上部爪を前進させて最下位のデッキプレートのすぐ上に位置するデッキプレ−トの底部の側部を支持させ、続いて制御部により下部爪を後退させて最下位にある一枚のデッキプレートのみを選択してこれを脱落させ、敷設することを前記課題の解決手段とした。
【００１１】
このデッキプレートの敷設方法によれば、前記のデッキプレート敷設用吊り具を用いることにより、段積みされたデッキプレートの束を一括して保持、移送し、保持したデッキプレートの束からその最下位にある一枚のデッキプレートのみを選択、脱落させることによりこれを所望箇所に敷設することができ、したがって、従来人力で行ってきたデッキプレートの敷設を機械で行うことが可能になり、また、デッキプレートの移送に要する時間を短縮して作業効率の向上が図れる。
【００１２】
【発明の実施の形態】
以下、本発明を詳しく説明する。
図１（ａ）、（ｂ）は本発明のデッキプレート敷設用吊り具の一実施形態例を示す図であり、これらの図において符号１はデッキプレート敷設用吊り具である。このデッキプレート敷設用吊り具１は、矩形枠状の上部フレーム２と、この上部フレーム２の四隅のそれぞれの底面から下方に向けて設けられた下部フレーム３…と、これら下部フレーム３…の近傍に配設されたガイドフレーム４…と、クレーン等の吊り上げ装置のフックＨに吊られる箇所となる吊り環（吊り上げ部）５と、上部フレーム２に設けられたハンドル６と、下部フレーム３…にそれぞれ設けられた進退装置７とを備えてなるものである。
【００１３】
上部フレーム２は、その矩形枠の内部において、長辺フレーム２ａ、２ａの中央部間に補強フレーム２ｃが渡されて設けられており、この補強フレーム２ｃの中心部に、前記吊り環５を固定した構造となっている。また、この上部フレーム２には、図１（ａ）に示すようにその矩形枠の短辺フレーム２ｂの底面に、ゴム等からなる当て板８、８が貼着されている。これら当て板８、８は、後述するようにデッキプレート敷設用吊り具１で段積みされたデッキプレートを一括保持した際、最上位にあるデッキプレートの上面が上部フレーム２に直接当たり、損傷するのを防止するためのものである。
【００１４】
下部フレーム３は、後述するように一括して保持する段積みされた状態のデッキプレートの高さより、十分に長く形成されたもので、これにより段積みされた状態のデッキプレートの束を、後述するように進退装置７によって保持することができるようになっている。
【００１５】
ガイドフレーム４…は、図１（ｂ）に示すように上部フレーム２の長辺フレーム２ａにおいて、それぞれ下部フレーム３…より少し内側（中心側）に配設された板状のもので、図１（ａ）に示すように上部フレーム２の短辺フレーム２ｂの長さ方向において対向したガイドフレーム４、４間の間隔が、デッキプレートの幅より僅かに広くなるように配置されたものである。また、これらガイドフレーム４…は、下部フレーム３より長く（高く）形成されたものとなっており、これによってガイドフレーム４…は、その下端が接地するようになることにより、デッキプレート敷設用吊り具１の脚体として機能するようになっている。また、これらガイドフレーム４…には、それぞれの下端部に外側に開いた形状となる案内部４ａが形成されており、これにより、後述するように対向するガイドフレーム４、４間にデッキプレートを納める際、対向する案内部４ａ、４ａによってデッキプレートの両側を容易に挟むことができるようになっている。
【００１６】
ハンドル６は、図１（ｂ）に示すように上部フレーム２の一方の長辺フレーム２ａに固定されたコ字状のもので、図１（ａ）に示すようにその上部側が、下部側に対して外側に折曲して形成されたものとなっている。そして、このような構成によりハンドル６の把持部分となる操作バー６ａは、上部フレーム２より十分に外側に位置するようになり、これによりこの操作バー６ａを持つことによるデッキプレート敷設用吊り具１の操作がし易くなっている。
【００１７】
進退装置７は、下部フレーム３の下端部の外面側に設けられたもので、図１（ｂ）に示すように下部進退装置７ａと上部進退装置７ｂとが横に並んで配置され構成されたものである。下部進退装置７ａは、図１（ａ）に示すように下部爪９を進退させるものであり、また上部進退装置７ｂは、上部爪１０を進退させるものである。これら下部爪９および上部爪１０は、いずれも棒状あるいは板状でその先端側がくさび状に尖って形成されたもので、後退時においては図１（ａ）中実線で示すようにその先端がガイドフレーム４より外側に位置し、前進時には図１（ｂ）中二点鎖線で示すようにその先端がガイドフレーム４より内側に突出することにより、後述するようにデッキプレートの底面を支持するよう構成されたものである。
【００１８】
なお、これら下部爪９および上部爪１０は、上部フレーム２の上に設けられた動力ユニット１１によってそれぞれ独立して駆動されるようになっている。ここで、このような進退の駆動は、電気油圧あるいは電動による駆動方式でなされるようになっている。また、これら下部爪９および上部爪１０の進退は、上部フレーム２の上に設けられた制御盤（制御部）１２により、制御されるようになっている。
【００１９】
また、このような進退装置７において、下部進退装置７ａと上部進退装置７ｂとは、上部進退装置７ｂが下部進退装置７ａより上に位置するように配設されている。すなわち、これら下部進退装置７ａと上部進退装置７ｂとは、上部進退装置７ｂの上部爪１０が下部進退装置７ａの下部爪９より、デッキプレート一枚分の厚さとほぼ同じ長さ分高い位置に配設されているのである。ここで、本発明においてデッキプレート一枚分の厚さとは、上下に直接重ねられたデッキプレートの、下側のデッキプレートの底面と上側のデッキプレートの底面との間の距離をいう。
このような構成のもとに、下部爪９から本発明における保持手段が構成され、また、この下部爪９と上部爪１０と制御盤１２とから、本発明における選択脱落手段が構成されている。
【００２０】
前記ハンドル６の操作バー６ａには、前記制御盤１２に接続して進退装置７の動作を操作するための操作スイッチ１３が設けられており、また、前記吊り上げ装置のクレーンを操作するためのクレーン用スイッチ１４が着脱自在に設けられている。
【００２１】
次に、このような構成のデッキプレート敷設用吊り具１の使用方法を基に、本発明のデッキプレートの敷設方法の一例を説明する。なお、ここで説明する例は、図２に示すように、鉄骨造の超高層ビルを積層工法で施工する際、タワークレーンの負荷を低減する目的で手動操作により簡単に荷の水平移動がようにした、簡易天井クレーン２０に備えられた電動チェーンブロック２１を吊り上げ装置とした場合の例である。
【００２２】
デッキプレートの敷設方法の説明に先立ち、簡易天井クレーン２０について説明する。この簡易天井クレーン２０は、デッキプレートＰを敷設する階の上に設けられた上部架構２２と、この上部架構２２の梁部分（水平部分）に設けられた走行レール２３と、この走行レール２３に移動可能に設けられた横行レール２４と、この横行レール２４に懸装された前記電動チェーンブロック２１とを備えてなるものである。
【００２３】
走行レール２３は、複数のレールが十分な距離をおいて階の全体をカバーできるように配置されてなるものである。横行レール２４は、複数のレールからなる走行レール２３間に略直交した状態で渡されて配設されたもので、走行レール２３の長さ方向に電動であるいは人力で容易に移動可能に懸装されたものである。電動チェーンブロック２１は、横行レール２４の長さ方向に電動で移動するよう構成され、かつ、そのチェーンブロックを巻き上げあるいは巻き下げることにより、フックＨに吊り下げた本発明のデッキプレート敷設用吊り具１を、吊り上げあるいは吊り下げることができるように構成されたものである。
【００２４】
なお、前記横行レール２４に、電動チェーンブロック２１とは別に従動式のトロリを設けておき、これに敷設作業者の親綱２５を設け、さらにこの親綱２５に安全帯を取り付けるようにすることもできる。
【００２５】
このような構成からなる簡易天井クレーン２０の電動チェーンブロック２１を利用してデッキプレートの敷設するには、まず、電動チェーンブロック２１のフックＨにデッキプレート敷設用吊り具１の吊り環５を取り付ける。
また、これとは別に、予め図３（ａ）、（ｂ）に示すように、複数枚（例えば５〜７枚程度）のデッキプレートＰ…をさん木からなるスペーサＳ上に段積みしておく。
【００２６】
そして、電動チェーンブロック２１によりデッキプレート敷設用吊り具１を吊り上げた状態で、クレーン用スイッチ１４を操作し、さらにハンドル６の操作バー６ａを操作することにより、図４（ａ）に示すように段積みされて置かれたデッキプレートＰ…の上にデッキプレート敷設用吊り具１を合わせる。続いて、クレーン用スイッチ１４を操作してデッキプレート敷設用吊り具１を下降させ、その対向するガイドフレーム４、４間にデッキプレートＰ…の両側を納める。このとき、ガイドフレーム４…には案内部４ａ、４ａが形成されているので、デッキプレートＰ…の両側を容易に案内してこれらの間に挟むことができる。なお、この操作のときには、上部進退装置７ａの上部爪１０、および下部進退装置７ｂの下部爪９については、当然ながらいずれも後退させておく。
【００２７】
このようにして段積みされたデッキプレートＰ…をガイドフレーム４…間に挟み込み、これによりデッキプレートＰ…を位置決めしたら、操作スイッチ１３を操作して下部進退装置７ｂを動作させ、その下部爪９を前進させてデッキプレートＰ…の最下位のものの底面の下側にまで突出させる。そして、この状態で電動チェーンブロック２１によりデッキプレート敷設用吊り具１を上昇させることにより、図４（ｂ）に示すように段積みしたデッキプレートＰの束を下部爪９…により一括して保持する。
【００２８】
次いで、この状態のまま電動チェーンブロック２１および横行レール２４を走行させ、デッキプレートＰの束を所望する位置、すなわちデッキプレートＰの敷設位置にまで移動させる。
続いて、操作スイッチ１３を操作して上部進退装置７ａを動作させ、図４（ｃ）に示すようにその上部爪１０を前進させる。すると、上部爪１０は、下部爪９よりデッキプレートＰ一枚分の厚さに相当する分高く配置されていることから、前進した上部爪１０は、最下位のデッキプレートＰのすぐ上に位置するデッキプレ−トＰの底部の側部を支持するようになり、結果としてこのデッキプレートＰとその上に位置するデッキプレートＰ…とを一括して保持するようになる。
【００２９】
ここで、段積みされたデッキプレートＰ…の各層間は、デッキプレートＰ自体が薄くねじれやすいことや折り曲げ加工精度がもともと高くないことなどから一定ではないものの、デッキプレートＰの束の最下位のものの底面を保持すれば、最下位のデッキプレートＰとそのすぐ上のデッキプレートＰとの層間位置は少なくともほぼ一定となり、したがって、この層間に上部爪１０を確実に差し込むことができる。
【００３０】
そして、この状態から操作スイッチ１３を操作して下部進退装置７ｂを動作させ、図４（ｄ）に示すようにその下部爪９を後退させることにより、最下位にある一枚のデッキプレートＰのみを選択し、これを脱落させて所望箇所に敷設する。なお、このように下部爪９を後退させてデッキプレートＰを脱落させ、敷設すると、このデッキプレートＰの落下（脱落）により当然振動や騒音が起こることから、上端爪１０を前進させた際、その操作に連動して警報が鳴るように、操作スイッチ１３を構成しておくのが好ましい。
【００３１】
このようにして最下位にあるデッキプレートＰを敷設したら、次の準備として、再度下部爪９を前進させる。そして、その状態から上部爪１０を後退させ、これにより上部爪１０…上に保持していたデッキプレートＰ…を落下させて図４（ｂ）に示した状態と同じ状態、すなわち下部爪９…上に保持した状態とする。なお、このときもデッキプレートＰ…の落下に伴って振動や騒音が起こることから、この動作が終了するまでは前記の警報がそのまま鳴っているようにしておくのが好ましい。
【００３２】
下部爪９…によって再度デッキプレートＰ…を保持したら、図５に示すようにこの状態のまま再度電動チェーンブロック２１を走行させ、デッキプレートＰの束を所望する位置、すなわちデッキプレートＰの次の敷設位置にまで移動させる。そして、前述した場合と同様にして最下位にある一枚のデッキプレートＰのみを選択し、これを脱落させて所望箇所に敷設する。以下、図４（ｂ）から図４（ｄ）に示した操作を順次繰り返すことにより、保持したデッキプレートＰを全て敷設する。
そしてさらに、図４（ａ）に示したように段積みされた新たなデッキプレートＰ…の束を保持し、下側から順に敷設していくことにより、デッキプレートの敷設を終了する。
【００３３】
このようなデッキプレート敷設用吊り具１とこれを用いてなるデッキプレートの敷設方法にあっては、段積みされたデッキプレートＰ…の束を一括して下部爪９…で保持し、吊り環５を利用して電動チェーンブロック２１でこれを所望位置に移送した後、上部爪１０…と下部爪９…とこれらの動作を制御する制御盤１２とにより、保持したデッキプレートＰ…の束からその最下位にある一枚のデッキプレートのみを選択して脱落させ、所望箇所に敷設することができる。
【００３４】
したがって、従来２人以上の人力で行ってきたデッキプレートＰの敷設を、吊り具１の操作を行う１人で行うことができ、これにより省人化を進めて作業効率を著しく向上することができる。
また、デッキプレートＰを複数枚一括して移送することができることから、移送に要する時間を短縮して作業効率の向上を図ることができる。
また、重量物であるデッキプレートＰを直接人力で持ち上げ移動するといった、高負荷の作業を不要にしたため、労働負荷を大幅に低減することができる。
【００３５】
また、図５に示したように作業者Ｍは、立ったままの状態でデッキプレート敷設用吊り具１を操作し、作業することができることから、安定した既設デッキ上を足場にできることにより、従来のようにデッキプレートＰ…を運ぶための仮設足場を不要にし、足場の仮設や移動に係る労務と高所作業とを削減することができる。
【００３６】
なお、本発明のデッキプレート敷設用吊り具１は前記実施形態例に限定されることなく、種々の設計的変更が可能であり、例えば、上部フレーム２の短辺フレーム２ｂの長さ、すなわちデッキプレートＰの幅方向となる長さが伸縮可能となるよう、この短辺フレーム２ｂを、大径のパイプに小径のパイプが摺動可能に挿通された構造としてもよい。このように、デッキプレートＰの幅方向となる長さを伸縮可能となるようにすれば、デッキプレートＰの幅寸法が変更された場合にも、これに対応してそのまま使用することができるようになる。
【００３７】
また、例えば上部進退装置７ａの位置（高さ）を可変とし、下部進退装置７ｂの下部爪９と上部爪１０との間の距離を可変にしておけば、、デッキプレートＰの端部形状が変わってその厚さ、すなわち上下に直接重ねられたデッキプレートＰ、Ｐの、下側のデッキプレートＰの底面と上側のデッキプレートＰの底面との間の距離が変わった場合にも、これに対応してそのまま使用することができるようになる。
【００３８】
【発明の効果】
以上説明したように本発明のデッキプレート敷設用吊り具は、段積みされたデッキプレートの束を一括して保持手段で保持し、吊り上げ部を利用して吊り上げ装置でこれを所望位置に移送した後、選択脱落手段によって保持したデッキプレートの束からその最下位にある一枚のデッキプレートのみを選択、脱落させることができるようにしたものであり、構造が単純であることによって安価に製造可能なものである。
【００３９】
また、本発明のデッキプレートの敷設方法は、前記のデッキプレート敷設用吊り具を用いることにより、段積みされたデッキプレートの束を一括して保持、移送し、保持したデッキプレートの束からその最下位にある一枚のデッキプレートのみを選択、脱落させることによりこれを所望箇所に敷設することができるようにしたものである。
【００４０】
したがって、このデッキプレート敷設用吊り具とこれを用いてなるデッキプレートの敷設方法にあっては、従来２人以上の人力で行ってきたデッキプレートの敷設を、吊り具の操作を行う１人で行うことができ、これにより省人化を進めて作業効率を著しく向上することができる。
また、デッキプレートを複数枚一括して移送することができることから、移送に要する時間を短縮して作業効率の向上を図ることができる。
また、重量物であるデッキプレートを直接人力で持ち上げ移動するといった、高負荷の作業を不要にしたため、労働負荷を大幅に低減することができる。
【００４１】
また、立ったままの状態でデッキプレート敷設用吊り具を操作し、作業することができることから、安定した既設デッキ上を足場にできることにより、従来のようにデッキプレートＰ…を運ぶための仮設足場を不要にし、足場の仮設や移動に係る労務と高所作業とを削減することができる。
そして、このように労働負荷を低減することができ、また作業の足場を作業用の仮設足場でなく既設の足場にすることができることから、労働環境を大幅に改善することができる。
【図面の簡単な説明】
【図１】  本発明のデッキプレート敷設用吊り具の一実施形態例の概略構成を示す図であり、（ａ）は側面図、（ｂ）は正面図である。
【図２】  図１に示したデッキプレート敷設用吊り具の使用箇所の一例を説明するための図である。
【図３】  複数枚のデッキプレートをスペーサ上に段積みした状態を示す図であり、（ａ）は正面図、（ｂ）は側面図である。
【図４】  （ａ）〜（ｄ）は、図１に示したデッキプレート敷設用吊り具の使用方法を、操作順に説明するための側面図である。
【図５】  図１に示したデッキプレート敷設用吊り具を使用した作業の説明図である。
【符号の説明】
１…デッキプレート敷設用吊り具、２…上部フレーム、３…下部フレーム、４…ガイドフレーム、５…吊り環（吊り上げ部）、９…下部爪、１０…上部爪、１２…制御盤（制御部）、２０…簡易天井クレーン、２１…電動チェーンブロック、Ｐ…デッキプレート。
【図１】
0004329056.tif 000002
【図２】
0004329056.tif 000003
【図３】
0004329056.tif 000004
【図４】
0004329056.tif 000005
【図５】
0004329056.tif 000006